【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
ユーザ機器ＵＥによるワイヤレス通信の方法であって、
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、前記第２のセルに再選択することと、
を備え、ここにおいて、前記第２のセルは、前記第１のＭＢＳＦＮエリアとは異なる第２のＭＢＳＦＮエリア中の非ＭＢＳＦＮセルまたはＭＢＳＦＮセルであり、前記再選択することが周波数内セル再選択を通じて実施されることを特徴とし、前記方法は、
前記第２のセルからページング信号を受信しながら、前記第１のセルから直接前記ＭＢＭＳサービスを受信し続けることと、
前記第２のセルからシステム情報ブロック（ＳＩＢ）を取得することと、
システム情報ブロック１３（ＳＩＢ１３）が前記第２のセルから取得されたかどうかを決定することと、
前記ＳＩＢ１３が前記第２のセルから取得されなかったと決定すると、前記第１のセルから前記ＭＢＭＳサービスを受信し続けることを決定することと、
をさらに備えることを特徴とする、ワイヤレス通信の方法。
【請求項２】
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
をさらに備える、請求項１に記載の方法。
【請求項３】
前記ＭＢＭＳサービスが前記第２のセルによって提供されないと決定すると、前記第１のセルから前記ＭＢＭＳサービスを受信し続けることを決定することをさらに備える、請求項２に記載の方法。
【請求項４】
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えることをさらに備える、請求項２に記載の方法。
【請求項５】
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視することをさらに備える、請求項１に記載の方法。
【請求項６】
異なるＭＢＭＳサービスについての情報が前記第１のセルから前に受信されなかったとき、前記第１のセルから前記異なるＭＢＭＳサービスを受信することに切り替えることを控えることをさらに備える、請求項１に記載の方法。
【請求項７】
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
をさらに備える、請求項１に記載の方法。
【請求項８】
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
をさらに備える、請求項１に記載の方法。
【請求項９】
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
をさらに備える、請求項１に記載の方法。
【請求項１０】
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
をさらに備える、請求項９に記載の方法。
【請求項１１】
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
をさらに備える、請求項１に記載の方法。
【請求項１２】
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
をさらに備える、請求項１１に記載の方法。
【請求項１３】
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中の非ＭＢＳＦＮセルまたはＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
をさらに備える、請求項１に記載の方法。
【請求項１４】
ユーザ機器ＵＥにおけるワイヤレス通信のための装置であって、
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信するための手段と、
第２のセルのカバレージに移動すると、前記第２のセルに再選択するための手段と、
を備え、ここにおいて、前記第２のセルは、前記第１のＭＢＳＦＮエリアとは異なる第２のＭＢＳＦＮエリア中の非ＭＢＳＦＮセルまたはＭＢＳＦＮセルであり、前記再選択することが周波数内セル再選択を通じて実施されることを特徴とし、前記装置は、
前記第２のセルからページング信号を受信しながら、前記第１のセルから直接前記ＭＢＭＳサービスを受信し続けるための手段と、
前記第２のセルからシステム情報ブロック（ＳＩＢ）を取得するための手段と、
システム情報ブロック１３（ＳＩＢ１３）が前記第２のセルから取得されたかどうかを決定するための手段と、
前記ＳＩＢ１３が前記第２のセルから取得されなかったと決定すると、前記第１のセルから前記ＭＢＭＳサービスを受信し続けることを決定するための手段と、
をさらに備えることを特徴とする、ワイヤレス通信のための装置。
【請求項１５】
コンピュータ上で実行されたときに、請求項１〜請求項１３に記載の方法のいずれかを行うためのコードを備えるコンピュータ可読媒体
を備える、コンピュータプログラム製品。
【手続補正２】
【補正対象書類名】明細書
【補正対象項目名】００６５
【補正方法】変更
【補正の内容】
【００６５】
[0081]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、出願当初の特許請求の範囲に記載された発明を付記する。
［Ｃ１］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中の非ＭＢＳＦＮセルまたはＭＢＳＦＮセルである、
前記第２のセルからページング信号を受信しながら、前記第１のセルから直接前記ＭＢＭＳサービスを受信し続けることと
を備える、ワイヤレス通信の方法。
［Ｃ２］
前記第２のセルからシステム情報ブロック（ＳＩＢ）を取得することと、
システム情報ブロック１３（ＳＩＢ１３）が前記第２のセルから取得されたかどうかを決定することと
をさらに備える、上記Ｃ１に記載の方法。
［Ｃ３］
前記ＳＩＢ１３が前記第２のセルから取得されなかったと決定すると、前記第１のセルから前記ＭＢＭＳサービスを受信し続けることを決定することをさらに備える、上記Ｃ２に記載の方法。
［Ｃ４］
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
をさらに備える、上記Ｃ２に記載の方法。
［Ｃ５］
前記ＭＢＭＳサービスが前記第２のセルによって提供されないと決定すると、前記第１のセルから前記ＭＢＭＳサービスを受信し続けることを決定することをさらに備える、上記Ｃ４に記載の方法。
［Ｃ６］
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えることをさらに備える、上記Ｃ４に記載の方法。
［Ｃ７］
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視することをさらに備える、上記Ｃ１に記載の方法。
［Ｃ８］
異なるＭＢＭＳサービスについての情報が前記第１のセルから前に受信されなかったとき、前記第１のセルから前記異なるＭＢＭＳサービスを受信することに切り替えることを控えることをさらに備える、上記Ｃ１に記載の方法。
［Ｃ９］
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
をさらに備える、上記Ｃ１に記載の方法。
［Ｃ１０］
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
をさらに備える、上記Ｃ１に記載の方法。
［Ｃ１１］
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
をさらに備える、上記Ｃ１に記載の方法。
［Ｃ１２］
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
をさらに備える、上記Ｃ１１に記載の方法。
［Ｃ１３］
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
をさらに備える、上記Ｃ１に記載の方法。
［Ｃ１４］
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
をさらに備える、上記Ｃ１３に記載の方法。
［Ｃ１５］
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中の非ＭＢＳＦＮセルまたはＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
をさらに備える、上記Ｃ１に記載の方法。
［Ｃ１６］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信するための手段と、
第２のセルのカバレージに移動すると、周波数内セル再選択を通じて前記第２のセルに再選択するための手段と、ここにおいて、前記第２のセルは、前記第１のＭＢＳＦＮエリアとは異なる第２のＭＢＳＦＮエリア中の非ＭＢＳＦＮセルまたはＭＢＳＦＮセルである、
前記第２のセルからページング信号を受信しながら、前記第１のセルから直接前記ＭＢＭＳサービスを受信し続けるための手段と
を備える、ワイヤレス通信のための装置。
［Ｃ１７］
前記第２のセルからシステム情報ブロック（ＳＩＢ）を取得するための手段と、
システム情報ブロック１３（ＳＩＢ１３）が前記第２のセルから取得されたかどうかを決定するための手段と
をさらに備える、上記Ｃ１６に記載の装置。
［Ｃ１８］
前記ＳＩＢ１３が前記第２のセルから取得されなかったと決定すると、前記第１のセルから前記ＭＢＭＳサービスを受信し続けることを決定するための手段をさらに備える、上記Ｃ１７に記載の装置。
［Ｃ１９］
前記ＳＩＢ１３が前記第２のセルから取得されたと決定すると、前記第２のセルからマルチキャスト制御チャネル（ＭＣＣＨ）を取得するための手段と、
前記取得されたＭＣＣＨに基づいて、前記ＭＢＭＳサービスが前記第２のセルによって提供されるかどうかを決定するための手段と
をさらに備える、上記Ｃ１７に記載の装置。
［Ｃ２０］
前記ＭＢＭＳサービスが前記第２のセルによって提供されないと決定すると、前記第１のセルから前記ＭＢＭＳサービスを受信し続けることを決定するための手段をさらに備える、上記Ｃ１９に記載の装置。
［Ｃ２１］
前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるための手段をさらに備える、上記Ｃ１９に記載の装置。
［Ｃ２２］
前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するための手段をさらに備える、上記Ｃ１６に記載の装置。
［Ｃ２３］
異なるＭＢＭＳサービスについての情報が前記第１のセルから前に受信されなかったとき、前記第１のセルから前記異なるＭＢＭＳサービスを受信することに切り替えることを控えるための手段をさらに備える、上記Ｃ１６に記載の装置。
［Ｃ２４］
前記第１のセルからの前記ＭＢＭＳサービスからのデータが失われているかどうか、または前記第１のセルからの前記ＭＢＭＳサービスの信号品質のうちの少なくとも１つを決定するための手段と、
失われたデータが第１のしきい値よりも大きいとき、または前記信号品質が第２のしきい値よりも低いときのうちの少なくとも１つにおいて、前記ＭＢＭＳサービスの受信を停止するための手段と
をさらに備える、上記Ｃ１６に記載の装置。
［Ｃ２５］
前記第１のＭＢＳＦＮエリア中の第３のセルのカバレージに移動すると、周波数内セル再選択を通じて前記第２のセルから前記第３のセルに再選択するための手段と、
前記第３のセルからページング信号を受信しながら、前記第３のセルから直接前記ＭＢＭＳサービスを受信し続けるための手段と
をさらに備える、上記Ｃ１６に記載の装置。
［Ｃ２６］
前記第１のセルから前記ＭＢＭＳサービスを受信することと前記第２のセルからユニキャストサービスを受信することとの間の優先度を示す優先度設定のための構成を受信するための手段と、
前記第２のセルからユニキャストサービスアベイラビリティを示すメッセージを受信するための手段と、
前記優先度設定のための前記構成に基づいて、前記ユニキャストサービスを受信すべきか、前記ＭＢＭＳサービスを受信すべきかを決定するための手段と
をさらに備える、上記Ｃ１６に記載の装置。
［Ｃ２７］
前記構成が、前記ＭＢＭＳサービスよりも高い前記ユニキャストサービスについての優先度を示すとき、前記ＭＢＭＳサービスの受信を停止し、前記ユニキャストサービスを受信するための手段と、
前記構成が、前記ユニキャストサービスよりも高い前記ＭＢＭＳサービスについての優先度を示すとき、前記ＭＢＭＳサービスを受信し続け、前記ユニキャストサービスを受信することを控えるための手段と
をさらに備える、上記Ｃ２６に記載の装置。
［Ｃ２８］
前記第２のセルからユニキャストサービスアベイラビリティを示すメッセージを受信するための手段と、
前記ユニキャストサービスを受信すべきか、前記ＭＢＭＳサービスを受信し続けるべきかをユーザに尋ねるための手段と
をさらに備える、上記Ｃ１６に記載の装置。
［Ｃ２９］
前記ユーザが、前記ユニキャストサービスを受信する要望を示すとき、前記ＭＢＭＳサービスの受信を停止し、前記ユニキャストサービスを受信するための手段と、
前記ユーザが、前記ＭＢＭＳサービスを受信し続ける要望を示すとき、前記ＭＢＭＳサービスを受信し続け、前記ユニキャストサービスを受信することを控えるための手段と
をさらに備える、上記Ｃ２８に記載の装置。
［Ｃ３０］
第３のセルのカバレージに移動すると、周波数内セル再選択を通じて前記第３のセルに再選択するための手段と、ここにおいて、前記第３のセルは、前記第１のＭＢＳＦＮエリアとは異なる第３のＭＢＳＦＮエリア中の非ＭＢＳＦＮセルまたはＭＢＳＦＮセルである、
前記第３のセルからページング信号を受信しながら、前記第１のＭＢＳＦＮエリア中の１つまたは複数のセルから直接前記ＭＢＭＳサービスを受信し続けるための手段と
をさらに備える、上記Ｃ１６に記載の装置。
［Ｃ３１］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中の非ＭＢＳＦＮセルまたはＭＢＳＦＮセルである、
前記第２のセルからページング信号を受信しながら、前記第１のセルから直接前記ＭＢＭＳサービスを受信し続けることと
を行うように構成された処理システム
を備える、ワイヤレス通信の装置。
［Ｃ３２］
前記処理システムは、
前記第２のセルからシステム情報ブロック（ＳＩＢ）を取得することと、
システム情報ブロック１３（ＳＩＢ１３）が前記第２のセルから取得されたかどうかを決定することと
を行うようにさらに構成された、上記Ｃ３１に記載の装置。
［Ｃ３３］
前記処理システムは、前記ＳＩＢ１３が前記第２のセルから取得されなかったと決定すると、前記第１のセルから前記ＭＢＭＳサービスを受信し続けることを決定するようにさらに構成された、上記Ｃ３２に記載の装置。
［Ｃ３４］
前記処理システムは、
前記ＳＩＢ１３が前記第２のセルから取得されたと決定すると、前記第２のセルからマルチキャスト制御チャネル（ＭＣＣＨ）を取得することと、
前記取得されたＭＣＣＨに基づいて、前記ＭＢＭＳサービスが前記第２のセルによって提供されるかどうかを決定することと
を行うようにさらに構成された、上記Ｃ３２に記載の装置。
［Ｃ３５］
前記処理システムは、前記ＭＢＭＳサービスが前記第２のセルによって提供されないと決定すると、前記第１のセルから前記ＭＢＭＳサービスを受信し続けることを決定するようにさらに構成された、上記Ｃ３４に記載の装置。
［Ｃ３６］
前記処理システムは、前記ＭＢＭＳサービスが前記第２のセルによって提供されると決定すると、前記第１のセルから前記ＭＢＭＳサービスを受信することから、前記第２のセルから前記ＭＢＭＳサービスを受信することに切り替えるようにさらに構成された、上記Ｃ３４に記載の装置。
［Ｃ３７］
前記処理システムは、前記第１のセルから前記ＭＢＭＳサービスを受信しながら、前記第１のセルからのマルチキャストチャネル（ＭＣＨ）スケジューリング情報（ＭＳＩ）またはマルチキャスト制御チャネル（ＭＣＣＨ）のうちの少なくとも１つのみを監視するようにさらに構成された、上記Ｃ３１に記載の装置。
［Ｃ３８］
前記処理システムは、異なるＭＢＭＳサービスについての情報が前記第１のセルから前に受信されなかったとき、前記第１のセルから前記異なるＭＢＭＳサービスを受信することに切り替えることを控えるようにさらに構成された、上記Ｃ３１に記載の装置。
［Ｃ３９］
前記処理システムは、
前記第１のセルからの前記ＭＢＭＳサービスからのデータが失われているかどうか、または前記第１のセルからの前記ＭＢＭＳサービスの信号品質のうちの少なくとも１つを決定することと、
失われたデータが第１のしきい値よりも大きいとき、または前記信号品質が第２のしきい値よりも低いときのうちの少なくとも１つにおいて、前記ＭＢＭＳサービスの受信を停止することと
を行うようにさらに構成された、上記Ｃ３１に記載の装置。
［Ｃ４０］
前記処理システムが、
前記第１のＭＢＳＦＮエリア中の第３のセルのカバレージに移動すると、周波数内セル再選択を通じて前記第２のセルから前記第３のセルに再選択することと、
前記第３のセルからページング信号を受信しながら、前記第３のセルから直接前記ＭＢＭＳサービスを受信し続けることと
を行うようにさらに構成された、上記Ｃ３１に記載の装置。
［Ｃ４１］
前記処理システムが、
前記第１のセルから前記ＭＢＭＳサービスを受信することと前記第２のセルからユニキャストサービスを受信することとの間の優先度を示す優先度設定のための構成を受信することと、
前記第２のセルからユニキャストサービスアベイラビリティを示すメッセージを受信することと、
前記優先度設定のための前記構成に基づいて、前記ユニキャストサービスを受信すべきか、前記ＭＢＭＳサービスを受信すべきかを決定することと
を行うようにさらに構成された、上記Ｃ３１に記載の装置。
［Ｃ４２］
前記処理システムは、
前記構成が、前記ＭＢＭＳサービスよりも高い前記ユニキャストサービスについての優先度を示すとき、前記ＭＢＭＳサービスの受信を停止し、前記ユニキャストサービスを受信することと、
前記構成が、前記ユニキャストサービスよりも高い前記ＭＢＭＳサービスについての優先度を示すとき、前記ＭＢＭＳサービスを受信し続け、前記ユニキャストサービスを受信することを控えることと
を行うようにさらに構成された、上記Ｃ４１に記載の装置。
［Ｃ４３］
前記処理システムが、
前記第２のセルからユニキャストサービスアベイラビリティを示すメッセージを受信することと、
前記ユニキャストサービスを受信すべきか、前記ＭＢＭＳサービスを受信し続けるべきかをユーザに尋ねることと
を行うようにさらに構成された、上記Ｃ３１に記載の装置。
［Ｃ４４］
前記処理システムは、
前記ユーザが、前記ユニキャストサービスを受信する要望を示すとき、前記ＭＢＭＳサービスの受信を停止し、前記ユニキャストサービスを受信することと、
前記ユーザが、前記ＭＢＭＳサービスを受信し続ける要望を示すとき、前記ＭＢＭＳサービスを受信し続け、前記ユニキャストサービスを受信することを控えることと
を行うようにさらに構成された、上記Ｃ４３に記載の装置。
［Ｃ４５］
前記処理システムは、
第３のセルのカバレージに移動すると、周波数内セル再選択を通じて前記第３のセルに再選択することと、ここにおいて、前記第３のセルは、前記第１のＭＢＳＦＮエリアとは異なる第３のＭＢＳＦＮエリア中の非ＭＢＳＦＮセルまたはＭＢＳＦＮセルである、
前記第３のセルからページング信号を受信しながら、前記第１のＭＢＳＦＮエリア中の１つまたは複数のセルから直接前記ＭＢＭＳサービスを受信し続けることと
を行うようにさらに構成された、上記Ｃ３１に記載の装置。
［Ｃ４６］
無線リソース制御（ＲＲＣ）アイドルモードにある間、第１のマルチキャストブロードキャスト単一周波数ネットワーク（ＭＢＳＦＮ）エリア中で第１のセルからマルチメディアブロードキャストマルチキャストサービス（ＭＢＭＳ）サービスを受信することと、
第２のセルのカバレージに移動すると、周波数内セル再選択を通じて前記第２のセルに再選択することと、ここにおいて、前記第２のセルは、前記第１のＭＢＳＦＮエリアとは異なる第２のＭＢＳＦＮエリア中の非ＭＢＳＦＮセルまたはＭＢＳＦＮセルである、
前記第２のセルからページング信号を受信しながら、前記第１のセルから直接前記ＭＢＭＳサービスを受信し続けることと
を行うためのコードを備えるコンピュータ可読媒体
を備える、コンピュータプログラム製品。